(57)【要約】      （修正有）【課題】大型物品を収納させ、複数の小型物品も仕切って収納させることが可能な仕切り板を有する家具を提供する。【解決手段】収納空間が定義される上ケース２０及び下ケース３０と、下ケースの下フレーム３６に設けられる少なくとも二つの位置決め部材５０と、収納空間に設けられる少なくとも一つの仕切り板４０とを含み、前記下フレームはスライド槽２６２と、スライド槽上方及び下方にそれぞれ位置される二つのストッパー部とを有し、各位置決め部材はスライド部材と、スライド槽中に位置される固定片と、スライド部材を貫通させると共に固定片に螺着される少なくとも一つのボルトとを有し、二つのスライド部材は仕切り板を伸入させる溝槽をそれぞれ有し、これにより仕切り板の位置を固定させ、家具１０は複数の小型物品を仕切って収納させ、また仕切り板は上ケースの重量物の支持を補助させる。【選択図】図３
0003173727.tif 000002
【実用新案登録請求の範囲】
【請求項１】
仕切り板を有する家具であって、
上ケースと、
ケースと、前記ケースの頂端に位置される周縁部と、前記周縁部に設けられる下フレームからなり、前記上ケースとの間に収納空間を設置させ、前記下フレームは前記下フレームに平行に沿い延伸されるスライド槽と、前記スライド槽の溝部上方と下方にそれぞれ位置される二つのストッパー部を有する下ケースと、
スライド部材と、固定片と、少なくとも一つのボルトとを各々が有し、前記スライド部材は前記下フレームに当着される本体と、前記本体を貫通させる少なくとも一つの貫通孔と、溝槽とを有し、前記溝槽の開口部は前記本体の前記下フレームから離れる一方に位置され、前記固定片は前記下フレームのスライド槽中に位置されると共に前記二つのストッパー部に当着され、前記固定片はその位置を前記スライド部材の貫通孔に対応させる少なくとも一つのねじ穴を有し、前記ボルトは前記スライド部材の貫通孔及び前記下フレームのスライド槽の溝部を貫通させて前記固定片のねじ穴に螺着させ、これによりそれを前記下フレームに固定させる少なくとも二つの位置決め部材と、
前記収納空間中に設けられると共にその対向する二つの側辺は二つの前記スライド部材の溝槽にそれぞれ挿入され、これにより前記仕切り板の位置を固定させる少なくとも一つの仕切り板を含むことを特徴とする仕切り板を有する家具。
【請求項２】
前記スライド部材は前記本体から延伸されて凸出される凸部を更に有し、前記凸部は下フレームの二つのストッパー部の間に位置されると共に前記スライド槽の溝部に挿入されることを特徴とする、請求項１に記載の仕切り板を有する家具。
【請求項３】
前記仕切り板の頭頂縁は前記上ケースに当着されることを特徴とする、請求項１に記載の仕切り板を有する家具。
【請求項４】
前記仕切り板の底縁は前記下ケースのケースに当着されることを特徴とする、請求項１に記載の仕切り板を有する家具。
【請求項５】
前記仕切り板は非平面板であることを特徴とする、請求項１に記載の仕切り板を有する家具。
【請求項６】
二つの前記仕切り板を設置させる四つの前記位置決め部材を含み、一つの前記仕切り板は開口部が上を向く凹部を有し、他の前記仕切り板は開口部が下を向く凹部を有し、二つの前記仕切り板は凹部により相互に嵌合されることを特徴とする、請求項１に記載の仕切り板を有する家具。
【請求項７】
各前記スライド部材の貫通孔は溝槽内に位置されることを特徴とする、請求項１に記載の仕切り板を有する家具。
【考案の詳細な説明】
【技術分野】
【０００１】
本考案は、頂部に荷重支持機能を有する家具（机、椅子等）に関し、より詳しくは、内部に物品を収納させる収納空間を有し、また収納空間内に仕切り板を設ける家具に関する。
【背景技術】
【０００２】
市場に出回っている荷重支持機能及び収納機能を兼備させる家具は、プラスチック材料（例えばＰＣ）で製造され厚さも相当に薄い上ケース及び下ケースで主に構成され、内部には物品を収納させる収納空間を形成させ、外形は椅子或いは机の形状をしており、ユーザーが家具の頂部に座れる、或いは家具上に物品を置けるようになっている。
【考案の概要】
【考案が解決しようとする課題】
【０００３】
しかしながら、前述した従来の技術では、前述の家具の内部は通常ただ一つの相当な容積の収納空間を有するのみで、この単一の収納空間は大型の物品の収納に用いられるが、但し家具に多数の小型物品を収納させる場合、物品を仕切って収納出来ないため、乱雑になり易い。また、上ケース及び下ケースの材料は構造強度が低いプラスチック薄板であるため、家具の頂部の荷重支持能力に限界があり、すぐに積載される重量の過負荷を引き起こし変形或いは破裂を招いた。
【０００４】
本考案は、このような従来の問題に鑑みてなされたものである。上記課題解決のため、本考案は、大型物品を収納出来、複数の小型物品も仕切って収納させる仕切り板を有する家具を提供することを主目的とする。
【０００５】
また、本考案は、家具頂部の荷重支持能力を強化させる仕切り板を有する家具を提供することを第２の目的とする。
【課題を解決するための手段】
【０００６】
上述した課題を解決し、目的を達成するために、本考案に係る仕切り板を有する家具は、
上ケースと、
ケースと、ケースの頂端に位置される周縁部と、周縁部に設けられる下フレームからなり、上ケースとの間に収納空間を設置させ、下フレームは下フレームに平行に沿い延伸されるスライド槽と、スライド槽の溝部上方と下方にそれぞれ位置される二つのストッパー部を有する下ケースと、
スライド部材と、固定片と、少なくとも一つのボルトとを各々が有し、スライド部材は下フレームに当着される本体と、本体を貫通させる少なくとも一つの貫通孔と、溝槽とを有し、溝槽の開口部は本体の下フレームから離れる一方に位置され、固定片は下フレームのスライド槽中に位置されると共に二つのストッパー部に当着され、固定片はその位置をスライド部材の貫通孔に対応させる少なくとも一つのねじ穴を有し、ボルトはスライド部材の貫通孔及び下フレームのスライド槽の溝部を貫通させて固定片のねじ穴に螺着させ、これによりそれを下フレームに固定させる少なくとも二つの位置決め部材と、
収納空間中に設けられると共にその対向する二つの側辺は二つのスライド部材の溝槽にそれぞれ挿入され、これにより仕切り板の位置を固定させる少なくとも一つの仕切り板を含むことを特徴とする。
【考案の効果】
【０００７】
本考案によれば、大型物品の収納と、複数の小型物品の仕切っての収納が得られる。
【図面の簡単な説明】
【０００８】
【図１】本考案に係る好ましい第１実施形態の仕切り板を有する家具の立体概略図である。
【図２】図１の切断線２−２に沿い切断した場合の断面図である。
【図３】図１の切断線３−３に沿い切断した場合の断面図である。
【図４】図３の切断線４−４に沿い切断した場合の断面図を、説明のために家具の仕切り板を取り除いたものである。
【図５】本考案に係る好ましい第１実施形態の仕切り板を有する家具のスライド部材の立体概略図である。
【図６】図２及び図３に近似する、本考案に係る好ましい第２実施形態の仕切り板を有する家具の断面図である。
【図７】図２及び図３に近似する、本考案に係る好ましい第２実施形態の仕切り板を有する家具の断面図である。
【図８】本考案に係る好ましい第２実施形態の仕切り板を有する家具の二つの仕切り板の立体分解図である。
【図９】本考案に係る好ましい第２実施形態の仕切り板を有する家具の仕切り板の立体組み合わせ図である。
【図１０】図５に近似する、スライド部材が図５とは異なる形状を有するものである。
【図１１】図１０の切断線１１−１１に沿い切断した場合の断面図である。
【図１２】本考案に係る好ましい第３実施形態の仕切り板を有する家具の立体概略図である。
【図１３】本考案に係る好ましい第４実施形態の仕切り板を有する家具の立体概略図である。
【考案を実施するための形態】
【０００９】
以下に図面を参照して本考案を実施するための形態について、詳細に説明する。なお、本考案は、以下に説明する実施形態に限定されるものではない。
【実施例】
【００１０】
本考案の実施形態に係る仕切り板を有する家具は、図１は本考案に係る好ましい第１実施形態の仕切り板を有する家具の立体概略図であり、図２は図１の切断線２−２に沿い切断した場合の断面図であり、図３は図１の切断線３−３に沿い切断した場合の断面図であり、図４は図３の切断線４−４に沿い切断した場合の断面図を、説明のために家具の仕切り板を取り除いたものであり、図５は本考案に係る好ましい第１実施形態の仕切り板を有する家具のスライド部材の立体概略図であり、図６は図２及び図３に近似する、本考案に係る好ましい第２実施形態の仕切り板を有する家具の断面図であり、図７は図２及び図３に近似する、本考案に係る好ましい第２実施形態の仕切り板を有する家具の断面図であり、図８は本考案に係る好ましい第２実施形態の仕切り板を有する家具の二つの仕切り板の立体分解図であり、図９は本考案に係る好ましい第２実施形態の仕切り板を有する家具の仕切り板の立体組み合わせ図であり、図１０は図５に近似する、スライド部材が図５のとは異なる形状を有するものであり、図１１は図１０の切断線１１−１１に沿い切断した場合の断面図であり、図１２は本考案に係る好ましい第３実施形態の仕切り板を有する家具の立体概略図であり、図１３は本考案に係る好ましい第４実施形態の仕切り板を有する家具の立体概略図である。
【００１１】
本考案の好ましい第１実施形態の構成を図１から図４に示す。家具１０は上ケース２０、下ケース３０、三つの仕切り板４０、及び六つの位置決め部材５０で構成される。ここでは、各位置決め部材５０はスライド部材６０、固定片７０、及び二つのボルト８０を有する。
【００１２】
上ケース２０はケース２２、ケース２２の底端に位置される周縁部２４、及び周縁部２４に設けられる上フレーム２６を有する。下ケース３０はケース３２、ケース３２の頂端に位置される周縁部３４、及び周縁部３４に設けられる下フレーム３６を有する。上フレーム２６と下フレーム３６は上フレーム２６と下フレーム３６に平行に沿い延伸されるスライド槽２６２とスライド槽３６２、及びスライド槽２６２及びスライド槽３６２の溝部２６４と溝部３６４の上方と下方にそれぞれ位置される二つのストッパー部２６６と二つのストッパー部３６６をそれぞれ有する。上フレーム２６と下フレーム３６は二つの周縁部２４と周縁部３４に沿って設置されると共に環状を呈し、また上フレーム２６と下フレーム３６はアルミニウム押出方式により製造され、これにより上フレーム２６と下フレーム３６のスライド槽２６２とスライド槽３６２及び各ストッパー部２６６と各ストッパー部３６６も環状を呈する。事実上、上フレーム２６もスライド槽２６２及びそれらのストッパー部２６６を有さない。上ケース２０と下ケース３０が相互に蓋をし合う場合、上フレーム２６と下フレーム３６は相互に当接され、また上ケース２０と下ケース３０の間には収納空間９０が設置される。
【００１３】
それらの仕切り板４０は収納空間９０中に設けられ、それらの位置決め部材５０は下フレーム３６に設けられ、各仕切り板４０は二つの位置決め部材５０により位置を固定されることにより、それらの仕切り板４０は収納空間９０を四つの収容空間９２に仕切る。
【００１４】
図４及び図５によると、スライド部材６０は本体６２、凸部６４、溝槽６６及び二つの貫通孔６８を有し、本体６２は相対する前側６２２と後側６２４を有し、凸部６４は本体６２の後側６２４から一体となり凸出され、溝槽６６は本体６２の前側６２２に位置されると共に開口部６６２を有し、二つの貫通孔６８は本体６２と凸部６４を貫通させる。スライド部材６０の凸部６４は下フレーム３６のスライド槽３６２の溝部３６４に挿入されると共に二つのストッパー部３６６の間に位置され、本体６２の後側６２４を下フレーム３６に近接させ、本体６２の前側６２２は下フレーム３６から離させる。
【００１５】
固定片７０は下フレーム３６のスライド槽３６２中に設けられ、また固定片７０はスライド部材６０の貫通孔６８に対応させるように位置される二つのねじ穴７２を有する。二つのボルト８０は二つの貫通孔６８をそれぞれ貫通させると共にスライド槽３６２の溝部３６４を貫通させて二つのねじ穴７２にそれぞれ螺着される。
【００１６】
各位置決め部材５０はボルト８０が締結されていない場合スライド槽３６２に沿いスライドし、各ボルト８０が締結されるとスライド部材６０の本体６２の後側６２４を下フレーム３６に当着させ、また固定片７０が二つのストッパー部３６６に当着される場合、位置決め部材５０は下フレーム３６に対向させて動かないように固定される。これにより、各位置決め部材５０がまず適当な位置へ移動後弛緩され、各仕切り板４０に対向させる二つの側辺４２を二つのスライド部材６０の溝槽６６にそれぞれ挿入させて、各仕切り板４０の位置を固定させる。
【００１７】
本実施形態では、三つの仕切り板４０は平板状を呈すると共に相互に平行に設置されるため、六つの位置決め部材５０は二組ずつ対向しあう。家具１０の収容空間９２の数量は仕切り板４０の数量を変える事で調整可能で、各仕切り板４０には二つの位置決め部材５０が必要であり、家具１０は少なくとも仕切り板４０及び二つの位置決め部材５０を含むことで二つの収容空間９２を形成させる。当然ながら、各仕切り板４０は非平面板でもよい。
【００１８】
このほか、家具１０の仕切り板４０は必ずしも相互に平行にさせなくてもよく、図６乃至図９の本考案に係る好ましい第２実施形態の家具１０では、二つの相互に垂直な仕切り板４０と、二つの仕切り板４０の側辺４２にそれぞれ設置される四つの位置決め部材５０を含み、一つの仕切り板４０は開口部が上を向く凹部４４を有し、他の仕切り板４０は開口部が下を向く凹部４４を有し、二つの仕切り板４０は凹部４４により相互に嵌合され、二つの仕切り板４０は収納空間９０を四つの収容空間９２に仕切る。
【００１９】
前述の各実施形態の家具１０は、ユーザーが複数の小型物品（図示せず）をそれらの収容空間９２に仕切って収納させ、それらの物品を分類して収納させ、或いは整頓させて収容させる。また、ユーザーは各位置決め部材５０の位置を変えることで、各収容空間９２の容積を必要に応じて調整させる。
【００２０】
ちなみに、前述の各スライド部材６０の凸部６４の作用は主にスライド部材６０が下フレーム３６に対向してぐらつくのを防ぎ、溝槽６６を下フレーム３６に垂直にさせる。然しながら、スライド部材６０に凸部６４を有せずとも、ユーザーはスライド部材６０の角度を自分で調整可能である。このほか、各スライド部材６０の貫通孔６８の数量とこれに対応する各固定片７０のねじ穴７２の数量及び各位置決め部材５０のボルト８０の数量は、二個に限られず、各位置決め部材５０を下フレーム３６に固定させるのみでよい。図１０と図１１のスライド部材６０は、貫通孔６８を有するのみで、また貫通孔６８を溝槽６６内に位置させ、前述の機能を達成させる。
【００２１】
前述の各実施形態の家具１０の外形は一人用椅子であり、前述の収納機能以外に、家具１０はユーザーにその頂部へ座らせる機能を更に提供する。家具１０の頂部の荷重支持能力を強化させるため、各仕切り板４０の頭頂縁４６は上ケース２０のケース２２に当着され、或いは各仕切り板４０の底縁４８は下ケース３０のケース３２に当着され、または各仕切り板４０の頭頂縁４６及び底縁４８は共に上ケース２０のケース２２と下ケース３０のケース３２にそれぞれ当着される。これにより、各仕切り板４０は家具１０の頂部の重量を支持させ、上ケース２０と下ケース３０の積載される重量の超過による変形或いは破裂は発生しにくくなる。
【００２２】
また、本考案の仕切り板を有する家具１０の外形は一人用椅子の形状に限られない。図１２の本考案に係る好ましい第３実施形態では、家具１０の外形は大型の二人用椅子のデザインであり、或いは図１３の本考案に係る好ましい第４実施形態では、家具１０の外形は茶卓のデザインである。更には、家具１０は内部に設置される仕切り板の支持力が十分であれば、更に大型の机或いは複数人用椅子でもよい。
【００２３】
以上、本考案はこのような実施形態に限定されるものではなく、考案の趣旨を逸脱しない範囲において、種々の形態で実施することができる。
【符号の説明】
【００２４】
１０    家具
２０    上ケース
２２    ケース
２４    周縁部
２６    上フレーム
２６２  スライド槽
２６４  溝部
２６６  ストッパー部
３０    下ケース
３２    ケース
３４    周縁部
３６    下フレーム
３６２  スライド槽
３６４  溝部
３６６  ストッパー部
４０    仕切り板
４２    側辺
４４    凹部
４６    頭頂縁
４８    底縁
５０    位置決め部材
６０    スライド部材
６２    本体
６２２  前側
６２４  後側
６４    凸部
６６    溝槽
６６２  開口部
６８    貫通孔
７０    固定片
７２    ねじ穴
８０    ボルト
９０    収納空間
９２    収容空間
【図１】
0003173727.tif 000003
【図２】
0003173727.tif 000004
【図３】
0003173727.tif 000005
【図４】
0003173727.tif 000006
【図５】
0003173727.tif 000007
【図６】
0003173727.tif 000008
【図７】
0003173727.tif 000009
【図８】
0003173727.tif 000010
【図９】
0003173727.tif 000011
【図１０】
0003173727.tif 000012
【図１１】
0003173727.tif 000013
【図１２】
0003173727.tif 000014
【図１３】
0003173727.tif 000015